(57)【要約】【課題】パーマネントやカラーリング、皮膚の美容等の際に、還元剤の還元作用、酸化剤や過酸化水素等の酸化作用を促進することができる蒸気噴霧装置を提供する。【解決手段】水蒸気を発生させる蒸気発生部３と、この蒸気発生部３で発生した水蒸気を噴流体として理美容処置を施そうとする毛髪や皮膚等の被射体に向けて噴出させる蒸気噴霧部２と、オゾンを発生させるオゾン発生部１０３と、このオゾン発生部で発生したオゾンを前記蒸気噴流体と混合可能に設けられたオゾン吐出部１０２とを備えて、蒸気噴霧部２から噴出される水蒸気を風洞状に加圧された蒸気噴流体として噴出させ、オゾン吐出部１０２からはオゾンを吐出させ、又は蒸気噴流体とオゾンとを加圧混合させた混合噴流体として噴出できるようにした。【選択図】        図３
2007319234.tif 000002
【特許請求の範囲】
【請求項１】
水蒸気を発生させる蒸気発生部と、この蒸気発生部で発生した水蒸気を噴流体として理美容処置を施そうとする毛髪や皮膚等の被射体に向けて噴出させる蒸気噴霧部と、オゾンを発生させるオゾン発生部と、このオゾン発生部で発生したオゾンを前記蒸気噴流体と混合可能に設けられたオゾン吐出部と、を備えてなることを特徴とする蒸気噴霧装置。
【請求項２】
前記オゾン発生部は、大気中の空気を送出するエアポンプと、このエアポンプから供給された空気中の水分を除去する乾燥器と、この乾燥器から供給された乾燥状態の空気に高電圧の電気を放電させて空気中の酸素からオゾンを生成するオゾン発生器と、を備えてなることを特徴とする請求項１記載の蒸気噴霧装置。
【請求項３】
前記乾燥器内には加熱手段が配置され、この乾燥器内に残留した水分を除去するように構成したことを特徴とする請求項２記載の蒸気噴霧装置。
【請求項４】
前記乾燥器とオゾン発生器とは、管体を流路として連通され、この管体の中途部には三方弁を介して排出管体が接続され、前記加熱手段及びエアポンプは、前記蒸気発生部が停止したことを条件に作動を開始するとともに、乾燥器からの湿気は、前記排出管体から大気に放出されるよう構成したことを特徴とする請求項３記載の蒸気噴霧装置。
【請求項５】
前記蒸気噴霧部には、水蒸気を噴出する複数個の噴出孔が仮想円周上に形成され、前記オゾン吐出部のオゾン吐出口は、前記複数個の噴出孔が形成される仮想円の中心部に配設されてなることを特徴とする請求項１，２，３又は４記載の蒸気噴霧装置。
【請求項６】
前記複数個の噴出孔のそれぞれの近傍で前記仮想円よりも外側の仮想円周上には、これら噴出孔の内径より小径とされた複数個の小径噴出孔が形成されてなることを特徴とする請求項５記載の蒸気噴霧装置。
【発明の詳細な説明】
【技術分野】
【０００１】
本発明は、毛髪や皮膚等の理美容処置を施す際に使用される蒸気噴霧装置に関し、さらに詳しくは、毛髪のパーマネントやカラーリング等の理容、皮膚の手入れの美容等を施す際に薬剤として用いる還元剤の還元作用、酸化剤の酸化作用、毛髪や皮膚等の膨潤作用を活性化させるための蒸気噴霧装置に関するものである。
【背景技術】
【０００２】
美容店や理髪店等においては、毛髪や皮膚に水蒸気等を吹付けて当てることによって毛髪や皮膚を膨潤させ、毛髪のパーマネントやカラーリング、皮膚の美容等の際に使用される薬剤の作用を促進させる技術として水蒸気噴霧、局部加熱、赤外線放射又は自然放置が慣用されている。これらの技術を実施するための装置としては、例えば、水蒸気を噴出させる装置（特許文献１参照）や、通電により加熱可能なロッド（特許文献２参照）が知られている。
【０００３】
上記特許文献１の装置は、水を供給する給水タンクと、高圧の水蒸気を発生させるボイラーと、ボイラーからの高圧の水蒸気を低圧にして下流へ送る減圧弁と、低圧の水蒸気を噴出するスチーム強制吹付器と、スチーム強制吹付器と減圧弁とのに配設され手元スイッチにより開放又は閉塞状態に切り換える電磁弁とで構成されている。そして、パーマネントやカラーリング用の薬剤を毛髪に付けた後、スチーム強制吹付器から水蒸気を噴出させて薬剤が付着した毛髪に当て、毛髪のダメージを抑止し、薬剤の作用を促進させるための装置である。
【０００４】
また、上記特許文献２の装置は、外周部が熱硬化性樹脂などの耐熱性材料で構成され、内部に加熱ヒーターを内蔵し、その一端に外部電源に接続した引出しコードとの接続用端子が露出した状態で設けられているロッドである。そして、パーマネントの際には（１）毛髪に第１剤の還元剤を塗布し、５〜２０分間放置して毛髪を十分に軟化させた後、水洗する工程、（２）水洗後の毛髪の水分を軽く拭き取り、上記毛髪を通電により加熱可能なロッドに巻き付ける工程、（３）上記毛髪を巻きつけたロッドに通電してロッドを過熱し、８０〜１４０℃で１〜３０分間放置する工程、（４）上記毛髪又はロッドから外した毛髪に第２剤の酸化剤を塗布し、１〜１５分間放置した後、水洗し、乾燥する工程により処置するものである。
【０００５】
【特許文献１】特開２００４−０５７６０３号公報
【特許文献２】特開２００４−２６２７９８号公報
【発明の開示】
【発明が解決しようとする課題】
【０００６】
ところで、毛髪のパーマネントにおける薬剤は、第１剤としての還元剤と、第２剤としての酸化剤とを使用するが、還元剤が塗布された場合には、その毛髪に水蒸気を当てると還元作用が活性化され、酸化剤が塗布された場合には、その毛髪にオゾンを当てると酸化作用が活性化され、特にオゾンと水蒸気との混合体を当てると、水蒸気により毛髪が膨潤されるとともに、オゾンにより酸化剤の酸化作用はさらに活性化される。
【０００７】
また、毛髪のカラーリングにおける薬剤は、第１剤としての発色基剤と、第２剤としての過酸化水素とを混合して使用するが、この場合には、その毛髪にオゾンを当てると酸化作用が活性化され、特にオゾンと水蒸気との混合体を当てると、水蒸気により毛髪が膨潤されるとともに、オゾンにより酸化剤の酸化作用はさらに活性化される。
【０００８】
また、皮膚の美容においては、第１処置として素肌に水蒸気を当てて皮膚を膨潤させ、第２処置として酸化剤を皮膚に塗布するが、その皮膚にオゾンを当てると酸化作用が活性化され、特にオゾンと水蒸気との混合体を当てると、水蒸気により皮膚が膨潤されるとともに、オゾンにより酸化剤の酸化作用はさらに活性化される。
【０００９】
しかしながら、特許文献１の装置では、パーマネントやカラーリング用の薬剤を毛髪に付けた後、スチーム強制吹付器から水蒸気を噴出させて毛髪に当てるようにした装置であるから、水蒸気により還元剤の還元作用を活性化させることはできるが、オゾンによる酸化剤の酸化作用を活性化させることはできず、パーマネントやカラーリングに要する時間が長時間に及ぶため薬剤が長時間に亘り毛髪に付着していることで、毛髪にダメージを負わせ易いとともに、パーマネントやカラーリングに要する時間が長時間に及ぶため作業能率が悪いという問題があった。また、この装置を皮膚の美容に適用する場合には、水蒸気により皮膚を膨潤させることはできるが、オゾンによる酸化剤の酸化作用を活性化させることはできず、美容薬剤の効果が発揮できないという問題があった。
【００１０】
また、特許文献２の装置では、上記（１）〜（４）の工程により処置するものであるから、水蒸気による還元剤の還元作用を活性化させることはできないとともに、オゾンによる酸化剤の酸化作用を活性化させることもできず、パーマネントに要する時間が長時間に及ぶため薬剤が長時間に亘り毛髪に付着していることで、毛髪にダメージを負わせ易いとともに、パーマネントに要する時間が長時間に及ぶため作業能率が悪いという問題があった。また、この加熱されたロッドは、カラーリングや皮膚の美容に適用することはできない問題があった。
【００１１】
本発明は、このような問題点に鑑みてなされたものであって、その目的とするところは、パーマネントやカラーリング、皮膚の美容等の際に、還元剤の還元作用、酸化剤や過酸化水素等の酸化作用を促進する活性力が弱く、処置時間が長時間に及ぶため、薬剤が長時間に亘り毛髪に付着していることで毛髪にダメージを負わせ易いという問題、処置時間が長時間に及ぶため作業能率が悪い、薬剤の効果が発揮できないという問題等を解決しようとするものである。
【課題を解決するための手段】
【００１２】
上述した目的を達成するため、請求項１の発明に係る蒸気噴霧装置は、水蒸気を発生させる蒸気発生部と、この蒸気発生部で発生した水蒸気を噴流体として理美容処置を施そうとする毛髪や皮膚等の被射体に向けて噴出させる蒸気噴霧部と、オゾンを発生させるオゾン発生部と、このオゾン発生部で発生したオゾンを前記蒸気噴流体と混合可能に設けられたオゾン吐出部とを備えてなることを特徴とするものである。
【００１３】
この請求項１の発明では、蒸気噴霧部から噴出する蒸気噴流体に、オゾン発生部で発生したオゾンを混合可能なオゾン吐出部を備えるようにしたので、パーマネントやカラーリングを処置中の毛髪や、美容中の皮膚等に水蒸気、オゾン又は水蒸気とオゾンとの混合体を当てることができる。そして、水蒸気を当てることにより毛髪を膨潤させながら還元剤の還元作用を活性化させること、オゾンを当てることにより酸化剤や過酸化水素の酸化作用を活性化させること、水蒸気とオゾンとの混合体を当てることにより毛髪を膨潤させながら酸化剤や過酸化水素の酸化作用を活性化させることができる。
【００１４】
また、皮膚等の美容においては、水蒸気を当てることにより皮膚等を膨潤させること、オゾンを皮膚等に当てることにより酸化剤の酸化作用を活性化させること、水蒸気とオゾンとの混合体を皮膚等に当てることにより皮膚等を膨潤させながら酸化剤の酸化作用を活性化させることができる。
【００１５】
また、請求項２の発明に係る蒸気噴霧装置のオゾン発生部は、大気中の空気を送出するエアポンプと、このエアポンプから供給された空気中の水分を除去する乾燥器と、この乾燥器から供給された乾燥状態の空気に高電圧の電気を放電させて空気中の酸素からオゾンを生成するオゾン発生器とを備えてなることを特徴とするものである。
【００１６】
この請求項２の発明では、エアポンプから供給された空気中の水分を除去する乾燥器を備えるようにしたので、オゾン発生器には乾燥状態の空気が常時供給され、高電圧の電気を放電させて空気中の酸素からオゾンを生成する際のオゾン濃度及び生成量を安定的に維持できる作用をする。
【００１７】
また、請求項３の発明に係る蒸気噴霧装置の乾燥器内には加熱手段が配置され、この乾燥器内に残留した水分を除去するように構成したことを特徴とするものである。この請求項３の発明では、エアポンプから供給された空気中の水分を除去するシリカゲル等の乾燥剤に水分が残留した場合に、その水分を加熱手段により速やかに除去することができ、乾燥器内は常時乾燥した状態が維持され、オゾン濃度及び生成量を安定的に維持できる作用をする。なお、上記加熱手段は、乾燥器内を加熱することができるものであれば良く、該加熱手段の配置位置は、乾燥器の内側であっても外側であっても良い。
【００１８】
また、請求項４の発明に係る蒸気噴霧装置の乾燥器とオゾン発生器とは、管体を流路として連通され、この管体の中途部には三方弁を介して排出管体が接続され、前記加熱手段及びエアポンプは、前記蒸気発生部が停止したことを条件に作動を開始するとともに、乾燥器からの湿気は、前記排出管体から大気に放出されるよう構成したことを特徴とするものである。
【００１９】
この請求項４の発明では、加熱手段及びエアポンプは、蒸気発生部が停止したことを条件に作動を開始するので、乾燥器内を自動化により常時乾燥した状態を維持することができる。また、加熱により乾燥された乾燥器からの湿気は、排出管体から大気に放出されるので、乾燥効率を向上することができる。
【００２０】
また、請求項５の発明に係る蒸気噴霧装置の蒸気噴霧部には、水蒸気を噴出する複数個の噴出孔が仮想円周上に形成され、前記オゾン吐出部のオゾン吐出口は、前記複数個の噴出孔が形成される仮想円の中心部に配設されてなるようにしたものである。
【００２１】
この請求項５の発明では、オゾン吐出口は、複数個の噴出孔が形成される仮想円の中心部に配設されているので、オゾン吐出口から吐出するオゾンは、蒸気噴流体に包囲されてその外部への放散が抑止され、オゾンは水蒸気に混合された状態で処置中の毛髪や皮膚等に吹付けて当てることができる。
【００２２】
また、請求項６の発明に係る蒸気噴霧装置の複数個の吐出孔のそれぞれの近傍で前記仮想円よりも外側の仮想円周上には、これら吐出孔の内径より小径とされた複数個の小径噴出孔が形成されてなるようにしたものである。
【００２３】
この請求項６の発明では、複数個の噴出孔のそれぞれの近傍で外側には、これら噴出孔の内径より小径の小径噴出孔が形成されているので、これら小径噴出孔からは、その内側の噴出孔から噴出する水蒸気よりも、高圧で高速の水蒸気が噴出される。したがって、複数個の噴出孔から噴出する水蒸気は、小径噴出孔からの高圧水蒸気により求心方向へ押圧され風洞状に加圧された蒸気噴流体となり、その内側のオゾンは前記蒸気噴流体により加圧混合された混合噴流体として噴出される。この噴出作用により運ばれるオゾン（Ｏ３）は被射体に付着して反応し、その周辺の他のオゾンは、水蒸気と強制混合され、同時に蒸気熱によりオゾン熱分解されて酸素（Ｏ２）化する。
【発明の効果】
【００２４】
上記請求項１の発明では、パーマネントやカラーリングを処置中の毛髪や、美容中の皮膚等に水蒸気、オゾン又は水蒸気とオゾンとの混合体を当てることで、水蒸気により毛髪を膨潤させながら還元剤の還元作用を活性化させたり、美容中の皮膚等を膨潤させること、オゾンにより酸化剤や過酸化水素の酸化作用を活性化させること、又は水蒸気とオゾンとの混合体により毛髪や皮膚等を膨潤させながら酸化剤や過酸化水素を活性化させることができるので、パーマネントやカラーリング、皮膚の美容等に要する時間を短縮することができ、毛髪にダメージを負わせることなく、作業能率の向上を図ることができる。
【００２５】
また、請求項２の発明では、オゾン発生器には乾燥状態の空気が常時供給され、高電圧の電気を放電させて空気中の酸素からオゾンを生成する際のオゾン濃度及び生成量を安定的に維持できるので、毛髪や皮膚等に塗布された薬剤の酸化作用をより活性化させることができ、パーマネントやカラーリング、皮膚の美容等に要する時間をさらに短縮することができる。
【００２６】
また、請求項３の発明では、エアポンプから供給された空気中の水分を除去するシリカゲル等の乾燥剤に水分が残留した場合に、その水分を加熱手段により速やかに除去することができ、乾燥器内は常時乾燥した状態を維持することができるので、オゾン濃度及び生成量を安定的に維持でき、処置中における薬剤への酸化作用を安定的かつ効果的に活性化させることができるとともに、薬剤の有効性と安全性が確保できる。
【００２７】
また、請求項４の発明では、加熱手段及びエアポンプは、蒸気発生部が停止したことを条件に作動を開始するので、乾燥器内は常時乾燥した状態を維持することができ、オゾン発生器によるオゾンの生成が安定的にできるとともに、処置中における薬剤への酸化を安定的に作用させることができる。
【００２８】
また、請求項５の発明では、オゾン吐出口は、複数個の噴出孔が形成される仮想円の中心部に配設されていることにより、オゾン吐出口から吐出するオゾンは、蒸気噴流体に包囲されてその外部への放散が抑止され、多くのオゾンが水蒸気に混合された状態で処置中の毛髪や皮膚等に吹付けて当てることができるので、薬剤への酸化作用がさらに高まり、パーマネントやカラーリングの処置時間が短縮でき、毛髪にダメージを負わせることも抑止できる。
【００２９】
また、請求項６の発明では、複数個の噴出孔から噴出する水蒸気は、小径噴出孔から噴出される高圧水蒸気により求心方向へ押圧され風洞状に加圧された蒸気噴流体となり、その内側のオゾンは前記蒸気噴流体により加圧混合された混合噴流体として噴出されるので、薬剤への酸化作用がさらに高まり、パーマネントやカラーリングの処置時間が短縮でき、毛髪にダメージを負わせることも抑止できる。また、上記のような噴出作用により運ばれるオゾン（Ｏ３）は被射体に付着し、その後、熱分解されて酸素（Ｏ２）化するので、廃オゾンが出ない無害化の環境を確保することができる。
【発明を実施するための最良の形態】
【００３０】
以下、本発明を実施するための最良の形態を、図面を参照しながら詳細に説明する。この実施の形態に係る蒸気噴霧装置１は、図３に示すように、水蒸気を発生させる蒸気発生部３と、この蒸気発生部３で発生した水蒸気を噴流体として毛髪のパーマネント部やヘアカラー部、美容中の皮膚等に向けて噴出させる蒸気噴霧部２と、オゾンを発生させるオゾン発生部１０３と、このオゾン発生部１０３で発生したオゾンを前記蒸気噴流体と混合可能に設けられたオゾン吐出部１０２とを備えている。
【００３１】
まず、蒸気発生部３は、図１に示す略箱状の筐体５内に後述する各種の機器が収納されている。この筐体５の下面には、キャスター６が配設され、自由に移動することができるようになされ、また、上部には、この蒸気噴霧装置１を移動する際に使用者によって把持される把手７，７が固定されている。また、この筐体５には、第１の上面板部８と、この第１の上面板部８よりも高い位置に形成された第２の上面板部９を有し、第１の上面板部８の後端から第２の上面板部９の前端までには、傾斜した操作盤１０が形成され、この操作盤１０には、図２に示すように、左側に１次圧力計１１が設けられ、右側には２次圧力計１２が設けられている。
【００３２】
また、上記操作盤１０の上端側には、左から、電源ランプ１３、ヒーターランプ１４、ポンプ駆動ランプ１５、給水ランプ１６、加昇圧ランプ１７が設けられている。また、上記操作盤１０の下端側には、左から、電源スイッチ１１８及びそのランプ１１９、後述する電動バルブ４８を開閉作動させる蒸気スイッチ１２０及びそのランプ１２１、後述するオゾン発生部を作動させるためのオゾン用スイッチ１２２及びそのランプ１２３、後述する電磁弁５１を手動で開閉するドレン用スイッチ２４及びそのランプ２５が設けられている。なお、これらのスイッチ（符号は省略する）の操作に伴う各部材の動作については後述する。
【００３３】
そして、上述した筐体５内の蒸気発生部３には、図４に示す給水タンク３０が配設されている。なお、この給水タンク３０の上方には、水が充填される開口が形成され、この開口には、図１に示すように、蓋体３１が被せられている。また、この給水タンク３０には、図４に示すように、低水位検出器３２が配設され、この低水位検出器３２は、制御盤３３を介して上記操作盤１０に設けられた給水ランプ１６に電気的に接続されている。そして、給水タンク３０内の水位が所定の水位よりも低下したことが上記低水位検出器３２により検出されると、上記操作盤１０に設けられた給水ランプ１６が点灯又は点滅する。なお、上記給水タンク３０には、図示しない第１の排水用コックが設けられている。
【００３４】
また、上記給水タンク３０には、図４に示すように、第１の導管３５を介してポンプ３６に接続され、このポンプ３６は、第２の導管３７を介してヒータータンク３８に接続されている。上記ヒータータンク３８には、図４に示すようにヒーター３８ａが内蔵されこのヒーター３８ａにより水が加熱されることにより蒸気が発生する。なお、このヒータータンク３８の下端側には、図示しない第２の排水用コックが設けられ、また、第３の導管４０を介して水位検出器４１が設けられている。
【００３５】
また、このヒータータンク３８の上端側中途部には、第４の導管４２を介して安全弁４３が設けられ、この安全弁４３を開放することにより、このヒータータンク３８内の異常加圧された蒸気が外部に排出される。なお、上記ヒータータンク３８に内蔵されたヒーター３８ａは、図４に示すように、上記制御盤３３を介して上記操作盤１０に電気的に接続されている。そして、この蒸気発生部３においては、上記ヒーター３８ａが駆動を開始する（通電する）と、上記操作盤１０に設けられたヒーターランプ１４が点灯するように構成されている。
【００３６】
そして、上記ヒータータンク３８は、第５の導管４４を介して圧縮蒸気槽４５に接続されている。この圧縮蒸気槽４５は、上記ヒータータンク３８内の水蒸気が流入し貯留されるものである。そして、この圧縮蒸気槽４５には、図４に示すように、圧力センサ４６が配設され、この圧力センサ４６は、上記制御盤３３を介して上記操作盤１０に電気的に接続されている。そして、この蒸気発生部３においては、上記圧力センサ４６により所定の圧力となった場合には、ヒーター３８ａへの通電は停止してヒーターランプ１４が消灯する。また、通電中に圧力センサ４６の誤作動で所定以上の圧力になった場合には、危険防止のためにヒーター３８ａへの通電を停止させるとともに、上記加昇圧ランプ１７が点灯するように構成されている。また、この蒸気発生部３においては、上記圧縮蒸気槽４５は、上記操作盤１０に設けられた１次圧力計１１に接続され、該圧縮蒸気槽４５内の圧力が目視により確認することができるように構成されている。
【００３７】
そして、上記圧縮蒸気槽４５は、フレキシブルな第６の導管４７を介して上記蒸気噴霧部２に接続されている。なお、この蒸気発生部３においては、上記第６の導管４７の中途部には、電動バルブ４８が設けられ、この電動バルブ４８は、上記操作盤１０に設けられた蒸気スイッチ１２０及び電源スイッチ１１８に電気的に接続されている。すなわち、この蒸気発生装置３においては、上記蒸気スイッチ１２０を押圧操作すると、それまで閉塞されていた上記電動バルブ４８が開放されるとともにランプ１２１が点灯し、この状態から再び押圧操作すると、それまで開放されていた電動バルブ４８は閉塞されるように構成されている。なお、上記電動バルブ４８は、電磁弁に置き換えてもよい。
【００３８】
なお、図１に示すように、筐体５を形成する第２の上面板部９には、第１のパイプ４９が起立した状態で固定され、上記第６の導管４７は、この第１のパイプ４９に挿通され筐体５の外部に延出されている。また、図４に示すように、上記第６の導管４７の中途部は、上記操作盤１０に設けられた２次圧力計１２に接続されている。
【００３９】
また、図３又は図４に示すように、上記蒸気噴霧部２は、フレキシブルな第７の導管５０を介して、前記給水タンク３０に接続されており、この第７の導管５０の中途部には、電磁弁５１が配設されている。なお、上記筐体５を形成する第２の上面板部９には、第２のパイプ５４が、上記第１のパイプ４９に並んで起立した状態で固定され、上記第７の導管５０は、この第２のパイプ５４に挿通されている。
【００４０】
また、上記電磁弁５１は、図４に示すように、上記制御盤３３を介して操作盤１０に設けられたドレン用スイッチ２４及びランプ２５に電気的に接続されている。すなわち、この蒸気発生部３においては、上記ドレン用スイッチ２４を押圧操作すると、それまで第７の導管５０を閉塞していた電磁弁５１が開放されるとともにドレン用ランプ２５が点灯し、該ドレン用スイッチ２４の押圧状態を解除する（指を離す）と、それまで開放されていた電磁弁５１は第７の導管５０を閉塞するように構成されている。
【００４１】
また、上記制御盤３３には、図４に示すように、２針タイマ５２が接続され、後述するように、本実施の形態に係る上記蒸気噴霧装置１においては、この２針タイマ５２により所定の時間（本例では、３分間隔に設定）が経過する毎に、上記電磁弁５１が開放され、蒸気貯留室６３内の水分が排出されるように構成されている。また、上記制御盤３３には、ブザー５３が接続され、前述したように、給水タンク３０内の水位が所定の水位よりも低下したことが上記低水位検出器３２により検出されると、上記操作盤１０に設けられた給水ランプ１６が点灯又は点滅するとともに、このブザー５３が駆動し警告音を発生する。
【００４２】
次に、前述した蒸気噴霧部２について、図面を参照しながら詳細に説明する。この蒸気噴霧部２は、図５に示すように、上記第６の導管４７に基端が接続された第１のノズル６０と、上記第７の導管５０に基端が接続された第２のノズル６１と、これら第１及び第２のノズル６０，６１の先端側が固定され該第１及び第２のノズル６０，６１の先端が内部に臨んでなる蒸気噴出器６２とを備えている。
【００４３】
この蒸気噴出器６２は、図６に示すように、正面板部６２ａと、周面及び背面を形成する側板部６２ｂとにより中空状に成形されてなるものであり、内部には、仕切り板部６２ｃ，６２ｄにより蒸気貯留室６３と蒸気吐出室６４とに区画され、上記第１のノズル６０と第２のノズル６１の先端は、この蒸気貯留室６３内に臨んでいる。なお、上記第1のノズル６０の先端は、この蒸気貯留室６３内の上方に位置し、第２のノズル６１の先端は、この蒸気貯留室６３の最も下方に位置している。
【００４４】
また、上記蒸気吐出室６４内には、上記正面板部６２ａの裏面と対峙し、中心には流入孔６４ｂが形成されてなるとともに、該蒸気吐出室６４を閉塞する閉塞部材６４ａが固定され、この閉塞部材６４ａの後方には、上記流入孔６４ｂを開閉する開閉弁６５が設けられている。なお、前記仕切り板部６２ｄには、上記閉塞部材６４ａの後方に蒸気貯留室６３内に貯留された水蒸気を逃がす開口６２ｅが形成されている。
【００４５】
そして、上記流入孔６４ｂを開閉する開閉弁６５は、上記流入孔６４ｂの径よりも大径となされた頭部６５ａと、この頭部６５ａの背面から後方に延在してなる軸部６５ｂとから構成され、この軸部６５ｂはスプリングケース６６の中心に形成された挿通孔（符号は省略する）に挿通されている。このスプリングケース６６には、上記挿通孔と同軸となされスプリング収容孔（符号は省略する）が形成され、このスプリング収容孔内には、コイルスプリング（弾性体）６７が収容されている。
【００４６】
また、上記スプリングケース６６は、蒸気噴出器６２の背面の上端側から突出してなる筒状部６８内に収容され、この筒状部６８の先端には、キャップ６９が着脱自在に取付けられている。なお、このキャップ６９の中心には、透孔（符号は省略する）が穿設され、この透孔には、上記開閉弁６５を構成する軸部６５ｂが挿通され、該軸部６５ｂは外部に露出している。
【００４７】
なお、この軸部６５ｂの先端側周面には、ネジ６５ｃが螺刻されている。また、上記筒状部６８には、レバー支持部材７１が固定されている。このレバー支持部材７１は、図５及び図６に示すように、上記筒状部６８に外嵌装されたリング部６８ａと、このリング部６８ａから直角に起立してなるレバー支持部６８ｂとから構成され、このレバー支持部６８ｂの先端の中心には、凹状の切欠き部（符号は省略する）が形成されている。
【００４８】
そして、上記レバー支持部材６８ｂに形成された切欠き部には、開閉レバー７２の先端が支持されている。この開閉レバー７２は、先端側中途部に、挿通孔（符号は省略する）が形成され、この挿通孔には、上記開閉弁６５を構成する軸部６５ｂが挿通され、該軸部６５ｂの先端には、２つのナット７３，７４が螺着されている。
【００４９】
一方、上記蒸気噴出器６２の下側には、図５及び図６に示すように、取付け金具７７を介して使用者が握る握り部材７８が固定されている。この握り部材７８は、上記取付け金具７７に先端側が固定されてなる固定片７８ａと、この固定片７８ａの先端に連続してなる円筒部７８ｂと、この円筒部７８ｂの外周に固定されてなりウレタン樹脂からなる握り部カバー７８ｃとから構成されている。
【００５０】
そして、上記固定片７８ａには、図５に示すように、透孔７８ｄが穿設され、この透孔７８ｄには、上記開閉レバー７２が挿通されている。なお、上記開閉レバー７２の中途部はやや折曲され後端側は、上記握り部材７８に沿った状態とされている。すなわち、上記開閉レバー７２は、使用者が握り部材７８を握りながら、該開閉レバー７２を操作可能な位置に設けられている。なお、第１のノズル６０と第２のノズル６１とは、共に上記円筒部７８ｂに挿通されている。
【００５１】
したがって、上述した蒸気噴霧部２では、使用者が上記握り部材７８を握りながら、上記開閉レバー７２を図６中矢印Ａ方向（握り部材７８方向）に移動させると、それまでコイルスプリング（弾性体）６７の弾性力により上記流入孔６４ｂを閉塞していた開閉弁６５は、図７に示すように、該コイルスプリング６７の弾性力に抗して上記開閉レバー７２の移動方向に移動させられ、これによって、流入孔６４ｂは開放する。
【００５２】
すると、上記蒸気貯留室６３内に貯留された水蒸気は、上記仕切り板部６２ｄに穿設された開口６２ｅを通過し、さらに上記流入孔６４ｂを通過して、上記蒸気吐出室６４内に移動する。そして、上記蒸気吐出室６４を形成する正面板部６２ａには、図８に示すように、仮想円Ｂの周上に６つの大径噴出孔（本発明の複数個の噴出孔）６２ｆと、これらの大径噴出孔６２ｆの外側の仮想円Ｃの周上に、これら大径噴出孔６２ｆよりも小径となされた６つの小径噴出孔６２ｇが形成されている。
【００５３】
なお、これらの大径噴出孔６２ｆと小径噴出孔６２ｇとは、図６に示すように、上記流入孔６４ｂの延長線上には形成されているものではなく、該流入孔６４ｂの延長線に対応する位置の周囲の仮想円ＢとＣとの周上に形成されている。したがって、上記蒸気吐出室６４内に流入した水蒸気は、正面板部６２ａの裏面に当った後に、上記大径噴出孔６２ｆ及び小径噴出孔６２ｇから外部に噴出される。
【００５４】
このように噴出される水蒸気は、大径噴出孔６２ｆから噴出される水蒸気よりも、小径噴出孔６２ｇから噴出される水蒸気のほうが高圧かつ高速で噴出される。また、大径噴出孔６２ｆから噴出される水蒸気は、その外側の小径噴出孔６２ｇから噴出される高圧で高速の水蒸気により求心方向へ押圧され、風洞状に加圧された蒸気噴流体となり、その噴流体の外部への放散は抑止される。
【００５５】
なお、上述のように構成された蒸気噴霧部２は、図１に示す筐体５から上方に起立するように固定された掛け止め部材８０により、掛止できるようにされている。この掛け止め部材８０は、上記筐体５に下端が固定されてなる起立杆８１と、この起立杆８１上端に形成され第６及び第７の導管４７，５０を掛止する第１の掛止部８２と、上記起立杆８１の上端側中途部に形成され、上記蒸気噴霧部２を掛止する第２の掛止部８３とから構成されている。
【００５６】
次いで、オゾンを発生させるオゾン発生部１０３について、図面を参照して説明する。上述した筐体５内のオゾン発生部１０３には、図３及び図４に示すエアポンプ１３６が配設され、このエアポンプ１３６により送出される空気は第８の導管１３７を介して乾燥器１３８に送られる。この乾燥器１３８は図３に示すように、第１の乾燥器１３８Ａと第２の乾燥器１３８Ｂとが、接続管１３９により連通されてなりエアポンプ１３６からの空気は、第９の導管１４１に送出される。
【００５７】
また、それぞれの乾燥器１３８Ａ，１３８Ｂ内には、図示しないシリカゲル等の乾燥剤が封入され、それぞれの外壁部には、これらの外壁部を加熱可能なヒーター１３８ａが装着されている。第９の導管１４１は電磁三方弁１４２に接続され、その出力側の第１ポートには第１０の導管１４３が接続され、第２ポートには排出管１４４が接続されている。そして、第９の導管１４１からの空気は、電磁作動による弁の開閉により第１０の導管１４３に連通する第１ポートが開かれると、第１０の導管１４３に接続されたオゾン発生器１４５に送られ、排出管１４４に連通する第２ポートが開かれると排出される。
【００５８】
前記オゾン発生器１４５は、高圧電源１４６から給電される高圧電気を放電させ、その放電域内に乾燥された空気が送られてくると、高濃度のオゾンを生成する。このオゾン発生器１４５により生成されたオゾンは、第１１の導管１４７を介して後述するオゾン吐出部１０２に送られる。なお、図１に示す筐体５の上面板部９には、第３のパイプ１４９が起立した状態で固定され、上記第１１の導管１４７は、この第３のパイプ１４９に挿通され筐体５の外部に延出されている。
【００５９】
そして、上記エアポンプ１３６、電磁三方弁１４２、オゾン発生器１４５及び高圧電源１４６は、制御盤３３を介して接続されたオゾン用スイッチ１２２のＯＮ操作により作動して、オゾンを生成し、電磁三方弁１４２の第１ポートから第１０の導管１４３に送られる。このＯＮ操作の確認は、図示しない２針タイマによる時間間隔でオゾン用ランプ１２３を点滅させるとともに、図示しない信号発信器から断続的な信号音を発することで確認できる。また、電源スイッチ１１８のＯＦＦ操作により、エアポンプ１３６、ヒーター１３８ａ及び電磁三方弁１４２を作動させて、乾燥器１３８内の乾燥剤を図示しない１針タイマの作動で２乃至３時間に亘り乾燥させ、乾燥器１３８内の湿気は電磁三方弁１４２の第２ポートから排出管１４４を経て排出される。
【００６０】
次いで、このオゾン発生部１０３で発生したオゾンを蒸気噴流体と混合可能に設けられたオゾン吐出部１０２は、図５に示すように、上記第１１の導管１４７に基端が接続された第３のノズル１６０を備え、この第３のノズル１６０は、その途中がレバー支持部材７１の突起部（符号は省略）に固定されている。その先端の図６に示すオゾン吐出口１６０ａは、図８に示すように、６つの大径噴出孔６２ｆが形成されている仮想円Ｂと、６つの小径噴出孔６２ｇが形成されている仮想円Ｃとの中心部で、その吐出方向は、前記蒸気噴出器６２の正面板部６２ａの前面に対向するように位置決めされている。
【００６１】
このオゾン吐出口１６０ａからのオゾンは、６つの大径噴出孔６２ｆと、６つの小径噴出孔６２ｇとから噴出される風洞状に加圧された蒸気噴流体内の正面板部６２ａの前面に向かって吐出される。そして、ノズル１６０のオゾン吐出口１６０ａから吐出されるオゾンは、蒸気噴霧部２の小径噴出孔６２ｇから噴出される高圧で高速の水蒸気と、その内側の大径噴出孔６２ｆから噴出される水蒸気とにより求心方向へ押圧され、風洞状に加圧された蒸気噴流体により加圧混合された混合噴流体として、蒸気噴出器６２の正面板部６２ａの前方へ噴出される。
【００６２】
なお、ノズル１６０内を流通するオゾンの圧力は、図示しない圧力調整弁により、大気圧よりもやや高い程度の低圧に調整されており、オゾン吐出口１６０ａから吐出された瞬間に大気圧程度に減圧される。したがって、ノズル１６０のオゾン吐出口１６０ａから吐出されるオゾンは、蒸気噴出器６２の正面板部６２ａの前面に向かって吐出されるが、正面板部６２ａに当接する前に、風洞状に加圧された蒸気噴流体により加圧混合されるので、蒸気噴流体の外側に放散されることはない。
【００６３】
以下、上述した本実施の形態に係る蒸気噴霧装置１の作動手順等について、詳細に説明する。先ず、前記蒸気発生部３を構成する給水タンク３０内の水は、図４に示すように、ポンプ３６の駆動によって、上記第１の導管３５及び第２の導管３７を通過してヒータータンク３８内に流入する。このヒータータンク３８内においては、ヒーター３８ａにより加熱されて水蒸気となり、この水蒸気は第５の導管４４を介して圧縮蒸気槽４５内に充填される。
【００６４】
なお、図６に示すように、前記蒸気噴霧部２を構成する開閉弁６５が流入孔６４ｂを閉塞している場合においては、第７の導管５０の中途部に配設された電磁弁５１は閉塞されているので、この圧縮蒸気槽４５内の水蒸気は、移動することがない。また、この圧縮蒸気槽４５内の圧力（静的圧力）は、上記操作盤１０に設けられた１次圧力計１１に表示され、第６の導管４７内の圧力（動的圧力）は、上記２次圧力計１２に表示される。
【００６５】
そして、この状態において、上述したように、開閉レバー７２を移動させると、開閉弁６５が移動し、これによって、流入孔６４ｂは開放され、上記圧縮蒸気槽４５内に貯留されていた水蒸気は、第６の導管４７及び第１のノズル６０を通って、上記蒸気貯留室６３内に流入し、水蒸気より比重の大きい熱水と乾燥蒸気とが当該蒸気貯留室６３内で分離されて、上層部の乾燥蒸気が上記仕切り部材６２ｄに穿設された開口６２ｅ及び上記流入孔６４ｂを通過して、上記蒸気吐出室６４内に移動し、さらに、上記正面板部６２ａの裏面に当った後に、上記大径噴出孔６２ｆ及び小径噴出孔６２ｇから外部に噴出される。
【００６６】
したがって、第６の導管４７や第１のノズル６０或いは蒸気貯留室６３内で冷やされた水蒸気が熱湯とされ該蒸気貯留室６３内に存在する場合であっても、それが、水蒸気とともに上記大径噴出孔６２ｆ及び小径噴出孔６２ｇから外部に噴出されることはない。また、この実施の形態に係る蒸気噴霧装置１によれば、水蒸気は、大径噴出孔６２ｆ及び小径噴出孔６２ｇから外部に噴出されることから、外部の空気と程よく混合されるとともに冷却された状態で毛髪等に吹付け当てることができる。
【００６７】
また、上述したように、大径噴出孔６２ｆ及び小径噴出孔６２ｇから外部に噴出された状態において、使用者が上記開閉レバー７２を放すと、上記コイルスプリング６７の弾性力により、それまで流入孔６４ｂを開放していた開閉弁６５は、再び該流入孔６４ｂを閉塞する。また、上記開閉レバー７２の操作により水蒸気の噴出量と圧力とが調整できるので、減圧弁等を用いることなく噴出量を加減することができる。
【００６８】
また、このように、開閉弁６５により流入孔６４ｂが閉塞されている場合において、前記２針タイマ５２により所定の時間（本例では、３分間隔に設定）が経過し、第７の導管５０の中途部に設けられた電磁弁５１が開放されると、前記圧縮蒸気槽４５内の水蒸気は、第６の導管４７から第１のノズル６０を介して蒸気貯留室６３内に到り、第２のノズル６１を通って、給水タンク３０に到る。このとき、上記蒸気貯留室６３内に熱湯等の水が存在した場合には、この水は該蒸気貯留室６３から給水タンク３０内に戻されるとともに、第６の導管４７から蒸気貯留室６３までの経路が水蒸気により加温される。
【００６９】
したがって、この実施の形態に係る蒸気噴霧装置１によれば、上記２針タイマ５２により、第６の導管４７から蒸気貯留室６３までの経路が、定期的に水蒸気により加温されることから、熱湯等の水が発生する可能性を効果的に抑制することができ、より一層熱湯等の水が、水蒸気とともに上記大径噴出孔６２ｆ及び小径噴出孔６２ｇから外部に噴出される危険性を防止することができる。
【００７０】
次いで、オゾンを発生させるオゾン発生部１０３は、図２及び図４に示すオゾン用スイッチ１２２のＯＮ操作によりオゾン用ランプ１２３が点灯するとともに、エアポンプ１３６、電磁三方弁１４２（導管１４３側第１ポートを開放）、オゾン発生器１４５及び高圧電源１４６が作動を開始する。図３及び図４に示すエアポンプ１３６を作動させることにより、第８の導管１３７を介して乾燥器１３８に空気が送出され、その空気は、乾燥器１３８内に封入されたシリカゲル等の乾燥剤により乾燥されて、電磁三方弁１４２及び導管１４３を介してオゾン発生器１４５に送られる。
【００７１】
また、同時に作動開始する高圧電源１４６からは高圧電気がオゾン発生器１４５に給電され、この高圧電気を同時に作動開始するオゾン発生器１４５において放電させ、その放電域内に、乾燥器１３８により乾燥された空気が送られオゾンが生成される。このようにして生成されたオゾンは第１１の導管１４７を介して、オゾン吐出部１０２に設けられた図８に示す第３のノズル１６０から吐出される。
【００７２】
このようにしてオゾン吐出口１６０ａから吐出されるオゾンは、前述した小径噴出孔６２ｇから噴出される高圧で高速の水蒸気と、その内側の大径噴出孔６２ｆから噴出される風洞状に加圧された蒸気噴流体により求心方向へ押圧され、その内側のオゾンは前記蒸気噴流体により加圧混合された混合噴流体として、処置中の毛髪部に吹付け当てることができる。
【００７３】
また、乾燥器１３８内に封入された図示しないシリカゲル等の乾燥剤を乾燥させる作動手順は、電源スイッチ１１８がＯＦＦ操作されると、エアポンプ１３６、ヒーター１３８ａ及び電磁三方弁１４２（排出管１４４側第２ポートを開放）が作動を開始し、乾燥器１３８内の乾燥剤を図示しない１針タイマの作動で２乃至３時間に亘り乾燥させ、乾燥器１３８内の湿気は電磁三方弁１４２の第２ポートから排出管１４４を経て排出される。
【００７４】
そして、ヒーター１３８ａによる加熱と、エアポンプ１３６による空気の流通とにより、乾燥器１３８内の乾燥剤は乾燥される。なお、オゾン発生器１４５により生成されるオゾンの濃度は、当該オゾン発生器１４５内を流通する空気の乾燥度合いに影響され、空気中の水分が少ないほうが、オゾン濃度及び生成量は高くなる。
【００７５】
引き続いて、本実施の形態に係る蒸気噴霧装置１の作用効果について、図面を参照して説明する。毛髪のパーマネントにおける第１剤としての還元剤が塗布された場合には、図６に示す開閉レバー７２を移動させて、図７に示す開閉弁６５を開くと、圧縮蒸気槽４５内に貯留された水蒸気は、開口６２ｅ、流入孔６４ｂ及び蒸気吐出室６４内を経て、大径噴出孔６２ｆ及び小径噴出孔６２ｇから外部に風洞状に加圧された蒸気噴流体として噴出されるので、第１剤の還元剤が塗布された毛髪（被射体）に吹付けて当てる。この水蒸気の吹付けにより、毛髪を膨潤させながら還元剤の還元作用を活性させて化学反応を促進し、パーマネントに要する時間を短縮することができ、毛髪にダメージを負わせることなく、作業能率の向上を図ることができる。
【００７６】
また、毛髪のパーマネントにおける第２剤としての酸化剤が塗布された場合には、前記第１剤の場合と同様の操作により水蒸気を噴出させるとともに、図２に示すオゾン用スイッチ１２２をＯＮ操作すると、図３及び図４に示すオゾン発生器１４５により生成されたオゾンは、図６に示すノズル１６０のオゾン吐出口１６０ａから外部に吐出されるので、前述した小径噴出孔６２ｇから噴出される高圧で高速の水蒸気と、その内側の大径噴出孔６２ｆから噴出される風洞状に加圧された蒸気噴流体とにより求心方向へ押圧される。
【００７７】
したがって、その内側のオゾンは前記蒸気噴流体により加圧混合された混合噴流体として噴出される。そして、この噴流体を第２剤の酸化剤が塗布された毛髪に吹付けて当てる。この水蒸気とオゾンとの混合噴流体の吹付けにより、毛髪を膨潤させるとともに、酸化剤の酸化作用を活性化させて化学反応を促進し、パーマネントに要する時間を短縮することができ、毛髪にダメージを負わせることなく、作業能率の向上を図ることができる。
【００７８】
次いで、毛髪のカラーリングにおける薬剤は、第１剤としての発色基剤と、第２剤としての過酸化水素とを混合して使用するが、この場合には、上記のようにして大径噴出孔６２ｆと小径噴出孔６２ｇとから蒸気を噴出させるとともに、オゾン吐出口１６０ａからオゾンを外部に吐出させて、風洞状に加圧された蒸気噴流体と、その内側のオゾンとの混合噴流体を前記混合薬剤が塗布された毛髪に吹付けて当てる。この水蒸気とオゾンとの混合噴流体の吹付けにより、毛髪を膨潤させるとともに、酸化剤の酸化作用を活性化させて化学反応を促進し、カラーリングに要する時間を短縮することができ、毛髪にダメージを負わせることなく、作業能率の向上を図ることができる。
【００７９】
次いで、皮膚の美容においては、第１処置として上記のように蒸気噴流体を噴出させて、その噴流体を素肌に当てることで皮膚を膨潤させる。次に第２処置として酸化剤を皮膚に塗布するが、この場合には、上記のようにして大径噴出孔６２ｆと小径噴出孔６２ｇとから蒸気を噴出させるとともに、オゾン吐出口１６０ａからオゾンを外部に吐出させて、風洞状に加圧された蒸気噴流体と、その内側のオゾンとの混合噴流体を前記酸化剤が塗布された皮膚（被射体）に吹付けて当てる。この水蒸気とオゾンとの混合噴流体の吹付けにより、皮膚を膨潤させるとともに、酸化剤の酸化作用を活性化させて化学反応を促進し、皮膚の美容に要する時間を短縮することができ、皮膚にダメージを負わせることなく、作業能率の向上を図ることができる。
【００８０】
なお、上記実施の形態では、毛髪や皮膚に酸化剤が塗布された場合には、水蒸気とオゾンとの混合噴流体を吹付ける例を示したが、オゾンのみを吹き付けることもできる。この場合には、前記ノズル１６０のオゾン吐出口１６０ａの吐出方向を上記実施の形態と反対向で、前記正面板部６２ａの前方側の水蒸気と同一方向に向かって吐出させるとともに、ノズル１６０内を流通するオゾンの圧力は、図示しない圧力調整弁により高圧に調整すれば、オゾン吐出口１６０ａからオゾンのみでも被射体に吹き付けることができる。また、この場合における他の例としては、ノズル１６０の先端を蒸気吐出室６４内に貫入させて、大径噴出孔６２ｆ及び小径噴出孔６２ｇの中心部で、正面板部６２ａの内側から外側に向けて吐出するようにしてもよい。また、上記オゾンの生成手段は、最も広く実施されている無声放電法により例示したが、この他のプラズマ放電法、紫外線ランプ法によりオゾンを生成してもよい。
【図面の簡単な説明】
【００８１】
【図１】実施の形態に係る蒸気噴霧装置の外観を示す斜視図である。
【図２】操作盤の構成を示す正面図である。
【図３】実施の形態に係る蒸気噴霧装置の構成を模式的に示す側面図である。
【図４】実施の形態に係る蒸気噴霧装置の構成を示すブロック図である。
【図５】蒸気噴霧部及びオゾン吐出部を示す斜視図である。
【図６】蒸気噴霧部及びオゾン吐出部を示す断面図である。
【図７】蒸気噴霧部の流入孔が開放された状態を示す断面図である。
【図８】蒸気噴出器の噴出孔及びオゾン吐出孔を示す正面図である。
【符号の説明】
【００８２】
１  蒸気噴霧装置
２  蒸気噴霧部
３  蒸気発生部
３０  給水タンク
３８  ヒータータンク
４５  圧縮蒸気槽
６２  蒸気噴出器
６２ｆ  大径噴出孔
６２ｇ  小径噴出孔
６３  蒸気貯留室
６４  蒸気吐出室
６４ｂ  流入孔
６５  開閉弁
７２  開閉レバー
１０２  オゾン吐出部
１０３  オゾン発生部
１３６  エアポンプ
１３８  乾燥器
１３８ａ  ヒーター
１４２  電磁三方弁
１４５  オゾン発生器
１６０  ノズル
１６０ａ  オゾン吐出口  
【図１】
2007319234.tif 000003
【図２】
2007319234.tif 000004
【図３】
2007319234.tif 000005
【図４】
2007319234.tif 000006
【図５】
2007319234.tif 000007
【図６】
2007319234.tif 000008
【図７】
2007319234.tif 000009
【図８】
2007319234.tif 000010